(57)【要約】  ハンドブレンダーを用いて、食物が、混ぜ合わせられ、切り刻まれ、又は、切断される場合、ツールユニットから食物に力が付与され、食物からツールユニットに反対方向の力が働く。これらの力は、軸方向及び半径方向の両方におけるものである。軸方向の力は、ハンドブレンダーのモータユニットに配置された軸方向荷重ベアリングに伝達される。ハンドブレンダーのモータユニットへの軸方向の力の伝達は、ツールユニットにおいてこれらの力を吸収する代わりに、ツールユニットにおいて分散される熱量を減少させる。半径方向の力は、ツールユニットにおけるベアリングによって吸収されている。
2016523156.tif 000002
【特許請求の範囲】
【請求項１】
モータと、
モータベアリングと、
ツール部材を回転させるための前記モータによって駆動されるモータ結合部と、
を有し、
前記モータベアリングが、前記モータ結合部によって、前記ツール部材から伝達される軸方向の力を吸収するための軸方向荷重ベアリングである、モータユニット。
【請求項２】
前記モータ結合部が、前記モータベアリングに全ての軸方向の力を伝達する、請求項１記載のモータユニット。
【請求項３】
前記モータ結合部が、回転により締められる、請求項１又は２に記載のモータユニット。
【請求項４】
前記モータ結合部が、合わせ面上に傾斜した外形を有する、請求項１記載のモータユニット。
【請求項５】
前記モータ結合部が、合わせ面上に螺旋状の外形を有する、請求項１記載のモータユニット。
【請求項６】
前記モータ結合部が、磁石を有する、請求項１又は２に記載のモータユニット。
【請求項７】
モータユニットによって駆動されるツール結合部を具備するツールユニットであって、前記ツール結合部が、全ての軸方向の力を前記モータユニットに伝達する、ツールユニット。
【請求項８】
前記ツール結合部が、回転により締められる、請求項７記載のツールユニット。
【請求項９】
前記ツール結合部が、磁石を有する、請求項７記載のツールユニット。
【請求項１０】
前記ツール結合部が、合わせ面上で傾斜した外形を有する、請求項７乃至９のいずれか１項に記載のツールユニット。
【請求項１１】
請求項１乃至６のいずれか１項に記載のモータユニットと係合し、ツール駆動シャフトが、プラスチック材料で少なくとも部分的にカバーされている、請求項７乃至１０のいずれか１項に記載のツールユニット。
【請求項１２】
請求項１乃至６のいずれか１項に記載のモータユニットと係合し、半径方向荷重ベアリングが、プラスチック材料で少なくとも部分的に作られている、請求項７乃至１０のいずれか１項に記載のツールユニット。
【請求項１３】
請求項１乃至６のいずれか１項に記載のモータユニットと、請求項７乃至１２のいずれか１項に記載のツールユニットと、を有し、前記ツールユニット及び前記モータユニットが、対であるように構成される、ハンドブレンダー。
【請求項１４】
モータユニットとツールユニットとを有し、モータベアリングが、ツール部材から前記モータユニットに結合により伝達される軸方向の力を吸収するための軸方向荷重ベアリングである、ハンドブレンダー。
【発明の詳細な説明】
【技術分野】
【０００１】
本発明は、モータと、モータベアリングと、ツール部材を回転させるためのモータによって駆動されるモータ結合部と、を有するモータユニットに関する。
【０００２】
また、本発明は、モータユニットによって駆動されるツール結合部を具備するツールユニットに関する。
【０００３】
さらに、本発明は、モータユニット及びツールユニットを有するハンドブレンダーに関する。
【背景技術】
【０００４】
従来のハンドブレンダーでは、ブレンダー、チョッパー、又は、キューブカッターなどのツール部材の動作によって引き起こされる、軸方向及び半径方向の力が、互いに近接して配置された半径方向及び軸方向荷重ベアリングにおいて支持される。ブレンダーなどのツール部材において、ベアリングは、通常、軸において配置される。この小さな領域における熱生成及び熱分散は、問題を引き起こし、複雑な設計を必要とする。しばしば、焼結部が必要であり、洗浄機保持リングが付与される。
【発明の概要】
【発明が解決しようとする課題】
【０００５】
本発明の目的は、ツールユニットにおける放熱を減少させることである。
【課題を解決するための手段】
【０００６】
本発明によれば、上記目的は、モータベアリングが、ツールユニットから結合により伝達される軸方向の力を吸収するための軸方向荷重ベアリングであることにより実現される。モータは、半径方向における軸方向オフセットを最小にするために、ツールシャフトを軸方向における適切な位置に配置する。本発明に従ったベアリング設計は、モータベアリングが、混合動作によって生成される軸方向の力を吸収という点で、本発明の目的に寄与する。ハンドブレンダーを用いて、食物が、混ぜ合わせられ、切り刻まれ、又は、切断される場合、ツールユニットから食物に力が付与され、食物からツールユニットに反対方向の力が働く。これらの力は、軸方向及び半径方向の両方におけるものである。軸方向の力は、ハンドブレンダーのモータユニットに配置された軸方向荷重ベアリングに伝達される。ハンドブレンダーのモータユニットへの軸方向の力の伝達は、ツールユニットにおいてこれらの力を吸収する代わりに、ツールユニットにおいて分散される熱量を減少させる。半径方向の力は、ツールユニットにおけるベアリングによって吸収されている。
【０００７】
好都合には、モータ結合部は、モータベアリングに対して全ての軸方向の力を伝達するように構成される。ツールユニットと食物との間の相互作用によって生成される半径方向の力のみが、ツールユニットにおけるベアリングによって吸収される必要がある。ツールユニットと食物との間の相互作用によって生成される全ての軸方向の力は、ツールユニットのシャフト、結合、及び、モータシャフトを介して、モータユニットのベアリングに伝達される。上記結合は、モータユニットにおけるモータ結合部、及び、ツールユニットにおけるツール結合部の形をなす。全ての軸方向の力がモータユニットのベアリングに伝達された場合、ツールユニットにおいて生成及び分散される熱が減少する。半径方向の力のみがツールユニットにおいて吸収されるため、半径方向及び軸方向荷重ベアリングなどの、２つのベアリング、又は、ツールユニットにおける結合されたベアリングを実装する必要はない。洗浄機保持リングなどの高価な焼結素子を省略することができ、ベアリングシステムは、製造ばらつき及び熱膨張に対して鈍感になる。
【０００８】
好ましくは、モータ結合部は、回転により締められるように構成される。このため、当該結合は、回転により、ツールユニットのシャフト、及び、モータシャフトを締める。強固な結合は、全ての軸方向の力を効率的に伝達する。回転により結合が締められる場合、ツールユニットと食物との間の相互作用によって生成された軸方向の力は、ツールユニットのシャフト、ツール結合部、モータ結合部、及び、モータシャフトを介してモータベアリングに伝達される。
【０００９】
好都合には、モータ結合部は、モータ結合部の合わせ面上に傾斜した外形を有する。モータ結合部の合わせ面上の傾斜した外形は、回転により結合を締めるため、ツール結合部の合わせ面と係合することができる。モータユニットシャフトが回転した場合、その合わせ面上の傾斜した外形は、結合を介して、ツールシャフトの合わせ面上の傾斜した外形に連結され、これにより、結合が締められる。強固な結合は、ツールユニットからの軸方向の力をモータユニットベアリングに伝達することを可能とする。
【００１０】
好適には、モータ結合部は、合わせ面上で螺旋状の外形を有する。モータ結合部の合わせ面上の螺旋状の外形は、回転により結合を強固なものとするため、ツール結合部の合わせ面と係合する。螺旋状の外形は、増加した合わせ面を供給し、これにより、各合わせ面上の応力を減少させるため、好適である。
【００１１】
本発明に従ったモータ結合部の他の実施形態は、磁石を有する。ツール結合部が磁化可能な素子を備える場合、モータ結合部における磁石は、モータ結合部及びツール結合部が、容易に接続し、軸方向において位置合わせすることを可能とする。磁石及び磁化可能な素子の合わせ部分は、互いに引き合い、これにより、ツールユニットとモータユニットとの組み立てが容易になる。また、磁石の取り付けは、ユーザに対して、適切な組み立てがなされたことについてのフィードバックを供給する。本発明に従った同様の実施形態では、ツール結合部が、磁石を有し、モータ結合部が、磁化可能な素子を備える。
【００１２】
モータユニットと協働するため、及び、軸方向の力がモータベアリングに伝達することを可能とするため、ツール結合部は、モータユニットに軸方向の力を伝達するように構成される。結合は、軸方向の力が、ツールユニットからモータユニットのベアリングに伝達されることを可能とする。軸方向の力が、ツールユニットシャフト及び結合部を介して、モータユニットに伝達される場合、ツールユニットにおける軸方向荷重ベアリングの付与は、必要なくなる。モータベアリングへの軸方向の力の伝達は、ツールユニットにおける放熱の減少につながる。従って、ツールユニットの部品点数を削減することができ、ツールユニットの設計の複雑性が低下され得る。
【００１３】
ツール結合部がツールユニットからモータユニットに全ての軸方向の力を伝達するように構成されることが好適である。ツールユニットと食物との間の相互作用によって生成される半径方向の力のみが、ツールユニットにおけるベアリングによって吸収される必要がある。ツールユニットと食物との間の相互作用によって生成される軸方向の力は、ツールユニットのシャフト、ツール結合部、モータ結合部、及び、モータシャフトを介して、モータユニットのベアリングに伝達されている。全ての軸方向の力がモータユニットのベアリングに伝達されている場合、ツールユニットにおいて生成及び分散される熱が減少する。半径方向の力のみがツールユニットにおいて吸収されるため、半径方向及び軸方向荷重ベアリングなどの、２つのベアリング、又は、ツールユニットにおける結合されたベアリングを実装する必要はない。洗浄機保持リングなどの高価な焼結素子を省略することができ、ベアリングシステムは、製造ばらつき及び熱膨張に対して鈍感になる。
【００１４】
前述のように、モータ結合部が回転により締められることが望ましく、また、ツール結合部も回転により締められることが望ましい。ツールユニットのコネクタがドライブに接続し、強固な結合を形成している場合、食物とツールユニットとの間の相互作用において誘起される軸方向の力が、ツールユニットシャフト、結合、モータユニットシャフトを介して、モータユニットの軸方向荷重ベアリングに完全に伝達される。これらの力の伝達は、ツールユニットシャフトと他のツールユニット部分との間の摩擦の減少につながる。従って、ツールユニットにおいて生成及び分散される熱量も減少する。
【００１５】
他の好ましい設計は、ツール結合部が、合わせ面上で傾斜した外形を有することである。ツール結合部の合わせ面上の傾斜した外形は、回転により結合を固定するため、モータユニットの合わせ面と係合する。結合部分の合わせ面上の傾斜した外形の目的は、ツールユニットを必要な長手方向へ持ち上げ、機械的エネルギーを伝達することである。モータシャフトが回転する場合、合わせ面上の傾斜した外形は、結合を介して、ツールシャフトの合わせ面の傾斜した外形と連結し、これにより、結合を締める。強固な結合は、ツールユニットからモータユニットベアリングへの軸方向の力の伝達を可能とする。
【００１６】
好ましくは、モータ結合部は、合わせ面上で螺旋状の外形を有する。ツール結合部の合わせ面上の螺旋状の外形は、回転により結合を固定するため、モータユニットの合わせ面と係合する。螺旋状の外形は、増加した合わせ面を供給し、これにより、各合わせ面上の応力を減少させるため、好適である。
【００１７】
好都合には、ツールシャフトは、プラスチック材料で少なくとも部分的にカバーされている。プラスチックカバーは、摩擦が生じ得るツールシャフトのこれらの部分に好適である。モータユニットのベアリングにおける軸方向の力の分散は、ツールユニットが、ラジアルベアリングのみを備えていればよいことを可能にする。ツールユニットシャフトから軸方向荷重ベアリングを除去した結果、例えば、射出成形又は押圧などの単純な製造プロセスで、ツールシャフトをプラスチック材料でカバーすることが可能である。プラスチック材料の滑らかな表面は、ツールシャフトとラジアルベアリングとの間の摩擦の低減につながる。摩擦の低減は、熱生成及び放熱の減少をもたらす。この結果、ラジアルベアリングは、より少ない熱が吸収されるだけでよいため、より簡単に設計され得る。
【００１８】
好ましくは、上記のモータユニットと係合するように構成された、ツールシャフトのラジアルベアリングの少なくとも一部が、プラスチック材料で作られる。軸かごには、ベアリングチューブが存在している。ベアリングチューブの（使用中の）長手方向の位置におけるツールシャフト上では、ツールシャフトは、プラスチックのベアリング材料でオーバーモールドされている。プラスチックのベアリング材料は、ツールシャフトに押圧されていてもよい。ツールシャフト上のプラスチックのベアリング材料及びベアリングチューブは、このため、ラジアルベアリングを形成している。モータユニットのベアリングにおける軸方向の力の分散は、ツールユニットが、ラジアルベアリングのみを備えることを可能にする。モータユニットベアリングへの軸方向の力の伝達のために、ブレンダーツール部材のベアリングにおける摩擦及び熱生成が、従来のハンドブレンダーに比して減少されるので、ラジアルベアリングへの負荷が小さくなり、高い応力及び温度に対する抵抗が小さい材料で作られることが可能である。従って、ラジアルベアリングの少なくとも一部をプラスチック材料で製造することが可能である。
【００１９】
ラジアルベアリングにおける熱生成及び熱分散が著しく減少される場合、ラジアルベアリングは、完全にプラスチック材料であってもよい。モータユニットのベアリングにおける軸方向の力の分散は、ツールユニットがラジアルベアリングのみを備えることを可能にする。モータユニットベアリングへの軸方向の力の伝達のために、ブレンダーツール部材のベアリングにおける摩擦及び熱生成が、減少されるので、ラジアルベアリングへの負荷が小さくなり、高い応力及び温度に対する抵抗が小さい材料で作られることが可能である。製造コストを削減するため、ラジアルベアリングは、プラスチック材料で作られてもよい。
【００２０】
本発明に従った他の実施形態は、モータユニットと、上述の要素の任意の組み合わせを持つツールユニットと、を有するハンドブレンダーである。
【００２１】
上記実施形態は、モータユニットとツールユニットとの２つの部分を有するハンドブレンダーを開示しているが、上記目的、即ち、ツールユニットにおける熱生成及び熱分散を減少させるという目的は、モータベアリングが、ツール部材からモータに対してツールドライブシャフトによって伝達される軸方向の力を吸収するための軸方向荷重ベアリングである、モータユニットとツールユニットとを有する一体化されたハンドブレンダーによっても達成される。一体化されたハンドブレンダーにおいても、食物処理中、ツール部材と食物との間の相互作用によって引き起こされる摩擦、熱生成、熱分散が存在する。また、一体化されたハンドブレンダーにおいても、摩擦、熱生成、及び、熱分散を減少させるニーズがある。従って、本発明は、一体化されたハンドブレンダーに対しても有用である。
【００２２】
ツールユニットと食物との間の相互作用によって生成される軸方向の力を吸収するためのモータベアリングの付与は、このため、簡単な設計、及び、部品点数の削減をもたらす。
【００２３】
本発明に従ったモータユニット、ツールユニット、及び、ハンドブレンダーは、モータシャフト軸とツールシャフト軸との間の長手方向軸のオフセットの低減、モータシャフトに対するツールシャフトの角度オフセットの低減、熱を伴う摩擦によるパワー損失の低減、及び、ツールシャフトとモータシャフトとの間のトレランスの低減に寄与する。
【００２４】
本願において、「軸方向荷重ベアリング」なる用語は、軸方向の力を吸収可能な全てのベアリングを含むことを意図している。軸方向荷重ベアリングは、軸方向の力のみを吸収することができ、この場合は、「軸方向荷重ベアリング」と称される。軸方向荷重ベアリングは、半径方向の力も吸収することができ、この場合は、「複合ベアリング」と称される。
【図面の簡単な説明】
【００２５】
本発明のモータユニット、ツールユニット、及び、ハンドブレンダーの上記及び他の態様が、図面を参照して、明らかにされ、説明される。
【図１Ａ】図１Ａは、ブレンダーモータユニットに結合された第１のツールユニットを具備するハンドブレンダーの側面図を示している。
【図１Ｂ】図１Ｂは、第２のツールユニットと結合された図１Ａのハンドブレンダーの側面図を示している。
【図２】図２は、横断面図において、従来のハンドブレンダーを概略的に示している。
【図３】図３は、横断面図において、本開示に従ったハンドブレンダーを概略的に示している。
【図４】図４は、モータユニットに係合されたツールユニットを図示している。
【図５】図５は、本発明の他の実施形態に従ったハンドブレンダーを概略的に示している。
【発明を実施するための形態】
【００２６】
図１Ａは、ハンドミキサー装置又はハンドブレンダー１の側面図を示している。ハンドブレンダー１は、モータユニット２と、結合アセンブリ（外からは見えない）によりモータユニット２に結合されているツールユニット３と、を有している。モータユニット２は、ツールユニット３を駆動するためのモータ（図示省略）を収容している。ハンドブレンダー１は、一般的に、台所用器具として用いられ、食物の調理において使用され得る。ツールユニット３は、結合アセンブリ（外からは見えない）によりモータユニット２に取り外し可能に結合されており、ツールユニット３とモータユニット２との結合を介助することができるプッシュボタン４ａ，４ｂが見えている。ハンドブレンダー１のモータユニット２は、ユーザが、例えば、ハンドブレンダー１をオン及びオフできる、及び／又は、ハンドブレンダー１の速度を制御できる、制御ボタン５，６を更に有する。
【００２７】
図１Ａの例では、ツールユニット３は、いわゆるバーブレンダーである。様々な機能を持つ他のツールユニットが、結合アセンブリにより、モータユニット２に結合され得る。図１Ｂは、チョッパーとして知られている他のツールユニット３ａの例を示している。
【００２８】
図２は、断面図において、従来のハンドブレンダーを概略的に示している。モータユニットは、モータドライブシャフト２０を駆動するように結合及び構成されている電気駆動モータ（図示省略）を収容している。駆動モータは、バッテリ給電であってもよいし、又は、メイン電源により給電されてもよい。モータドライブシャフト２０は、ツールユニット３のツール結合部３３との結合を確立できるモータ結合部２４を有している。モータ結合部２４は、ツールユニット３のツール結合部３３に挿入されるように設計され得る。また、モータ結合部２４は、ツールユニット３のツール結合部３３が挿入されることができる管状部として設計されてもよい。これに加えて、モータ結合部２４は、ツールユニット３のツール結合部３３上の類似の歯と係合するように構成された内部歯を備えていてもよい。結合部２４，３３は、結合を形成するように互いを接続する。
【００２９】
電気駆動モータは、モータドライブシャフト２０及び上記結合を介して、ツールユニット３のツールドライブシャフト３０に、回転運動を伝達する。ツールドライブシャフト３０は、ブレンダー、チョッパー、又は、キューブカッターなどのツール部材３４を駆動する。
【００３０】
モータユニットは、電気モータ（図示省略）及びモータシャフト２０を支持するとともに、生成される振動、摩擦、及び、熱を吸収するため、軸方向荷重ベアリング２１と半径方向荷重ベアリング２２とを備えている。電気モータにおける振動は、モータドライブシャフト２０及び電気モータが互いに対する動きを引き起こす。この相対運動は、摩擦及び熱の生成につながる。摩擦及び熱の生成は、除々に、モータユニット２及び／又は上記結合の熱分散及び損耗につながる。このことは、ハンドブレンダーの早期故障につながり得る。
【００３１】
モータドライブシャフト２０と電気モータとの間の摩擦、損耗、及び、熱生成を減少させるために、モータユニット２のモータドライブシャフト２０は、軸方向荷重ベアリング２１と半径方向荷重ベアリング２２とによって支持されている。軸方向荷重ベアリング２１及び半径方向荷重ベアリング２２は、それぞれが一方向の力を吸収する２つの別個のベアリングにおいて実現され得る。しかしながら、両ベアリングが、軸方向の力と半径方向の力との両方を吸収するための複合ベアリングに一体化されてもよい。一方、２以上の別個のベアリングにおいて軸方向の力を吸収することも可能である。同じことが、半径方向の力についても当てはまる。このソリューションは、ベアリングのために利用できる空間が制限されている場合に、しばしば付与される。
【００３２】
食物をかき混ぜ、混合し、切断し、又は、切り刻むため、ユーザは、ハンドブレンダー１を食物の中に入れ、ハンドブレンダー１をオンするため、制御ボタン５，６（図１Ａ，図１Ｂ参照）を押す。次いで、ツール部材３４が、食物に対して回転を開始し、これにより、力を食物に付与する。食物の構造及び物理的特性のため、食物は、ツールユニット３のツールドライブシャフト３０に反作用の力を付与する。これらの反作用の力は、ツールユニット３において摩擦及び熱の生成を引き起こす。ツールドライブシャフト３０は、例えば、軸方向において結合に接触し、又は、半径方向において流体密封３６と接触するためである。摩擦及び熱の生成は、除々に、ツールユニット３及び／又は上記結合の熱分散及び損耗につながる。これは、ハンドブレンダーのノイズ、振動、パワー損失、又は、早期故障につながる可能性がある。
【００３３】
ツールドライブシャフト３０とツールユニットの他の部分との間の摩擦及び熱生成を減少させるため、モータドライブシャフト３０は、軸方向の力を吸収するための軸方向荷重ベアリング２１と、ツールドライブシャフト上に付与され、ドライブシャフト３０の運動及び振動につながる半径方向の力を吸収するための半径方向荷重ベアリング２２とによって支持されている。軸方向荷重ベアリング２１及び半径方向荷重ベアリング２２は、一方向の力をそれぞれ吸収する、２つの別個のベアリングで実現されてもよい。しかしながら、両ベアリングが、軸方向の力と半径方向の力との両方を吸収するための複合ベアリングに一体化されてもよい。一方、２以上の別個のベアリングで軸方向の力を吸収することも可能である。同じことが、半径方向の力についても当てはまる。このソリューションは、ベアリングのために利用できる空間が制限される場合に、しばしば適用される。
【００３４】
ハンドブレンダーでは、力は、通常、できる限り、力の発生源に近い部分で吸収される。従って、軸方向荷重ベアリング３２、半径方向荷重ベアリング３１、又は、複合ベアリングが、ツール部材３４に最も近い、ツールドライブシャフト３０の側にしばしば配置される。
【００３５】
図３は、断面図において、本発明に従ったハンドブレンダーを概略的に示している。ツールドライブシャフト３０は、結合を介して、モータドライブシャフト２０に接続されている。当該結合は、ツール結合部３５とモータ結合部２５との２つの合わせ部からなるアセンブリである。この２つの結合部は、協働して、食物の調理中、ツール部材３４と食物との間の相互作用によって誘起される軸方向の力が、モータユニット２の軸方向荷重ベアリング２３に伝達されることを可能にする。しかしながら、軸方向荷重ベアリング２３の機能は、軸方向の力と半径方向の力との両方を吸収するための複合ベアリングに、ラジアルベアリング２２の機能と一体化されてもよい。一方、モータシャフトが、軸方向の力を吸収する２以上の別個のベアリングによって支持されることも可能である。ツールユニットの代わりに、モータユニットにおいて軸方向の力を吸収することで、ツールユニット３における熱生成及び熱分散が低減される。
【００３６】
ツールユニット３とモータユニット２との間の結合は、回転により締められるように設計及び製造される。両結合部の表面上の外形は、当該外形が、軸方向だけでなく半径方向においても噛み合うように合わせられている。図３には、螺旋状の外形が概略的に示されている。しかしながら、半径方向成分を持つ任意の他の傾斜した外形が、回転により結合を締めることにつながるであろう。強固な結合は、ツール部材３４において引き起こされる軸方向の力が、結合において摩擦を引き起こすことなく、又は、結合において熱を生成及び／又は分散することなく、モータベアリング２３に伝達されることを可能にする。
【００３７】
２つの結合部をクリック接続を介して結合する結合、又は、２つの結合部を軸方向に結合するために磁力を採用する磁気結合など、ツールドライブシャフト３０とモータドライブシャフト２０とを軸方向に結合するための他のソリューションが想定され得る。
【００３８】
図４では、透視図において、モータユニット２に係合されたツールユニット３が開示されている。ツールユニット３は、結合を介して、モータユニット２に接続されている。当該結合は、ツール結合部３５とモータ結合部２５との連携である。ツールドライブシャフト３０は、上方でツール結合部３５に接続されるとともに、下方でツール部材３４に接続されている。ツール部材シャフト３０は、半径方向の力を吸収するための半径方向荷重ベアリング３１によって支持されている。軸方向の力は、モータユニット２のベアリングに伝達される。ツールユニット３から離れた軸方向の力の伝達は、ツールユニット４０及びツール部材３４における摩擦、熱生成、及び、熱分散を減少させる。従って、ツールユニット３の素子が、より小さい荷重に耐えられる材料で製造されることができる。プラスチックは、容易に処理されることができ、添加物により容易に改善されることができるため、プラスチック材料が好適であろう。また、オプションで、ツールユニットシャフト３０を、より少ない量の従来材料で製造することもできる。
【００３９】
ツールドライブシャフト３０は、少なくとも部分的にプラスチック材料でカバーされていてもよい。ツールドライブシャフト３０がプラスチック材料でカバーされている場合、ツールドライブシャフト３０と半径方向荷重ベアリングとの間の摩擦が著しく低減されるため、ラジアルベアリングは、単純なスリーブ軸受けであってもよい。プラスチックは、ツールドライブシャフト３０に対して、オーバーモールド又は押圧されてもよい。しかしながら、ラジアルボールベアリングなど、他のラジアルベアリングタイプが同様に可能である。オプションで、ラジアルベアリング３１は、少なくとも部分的にプラスチックで製造される。
【００４０】
図５は、本発明の他の実施形態を示している。ハンドブレンダー１のモータ部２ａ及びツール部３ａが１つの部品で製造されている。
【００４１】
食物をかき混ぜ、混合し、切断し、又は、切り刻むため、ユーザは、ハンドブレンダー１を食物の中に入れ、ハンドブレンダー１をオンするため、制御ボタン５，６（図１Ａ，図１Ｂ参照）を押す。次いで、ツール部材３４が、食物に対して回転を開始し、これにより、力を食物に付与する。食物の構造及び物理的特性のため、食物は、ドライブシャフト４０に反作用の力を付与する。これらの反作用の力は、ツール部３ａにおいて摩擦及び熱の生成を引き起こす。ツールドライブシャフトは、例えば、軸方向において結合に接触し、又は、半径方向において流体密封３６と接触するためである。摩擦及び熱の生成は、ツールユニット３ａ及び／又は上記結合のノイズ、振動、パワー損失、及び、段階的なツールユニット３ａ及び／又は上記結合の損耗につながる。これは、ハンドブレンダーの早期故障につながる可能性がある。
【００４２】
ドライブシャフト４０とツールユニットの他の部分との間の摩擦及び熱生成を減少させるため、ドライブシャフト４０は、ドライブシャフト４０上に付与される半径方向の力を吸収するための半径方向荷重ベアリング３１と、軸方向の力を吸収するための軸方向荷重ベアリング２２，２３とによって支持されている。
【００４３】
ハンドブレンダーでは、力は、通常、できる限り、力の発生源に近い部分で吸収される。従って、ラジアルベアリング３１が、ツール部材３４に最も近い、ドライブシャフト４０の側にしばしば配置される。
【図１Ａ】
2016523156.tif 000003
【図１Ｂ】
2016523156.tif 000004
【図２】
2016523156.tif 000005
【図３】
2016523156.tif 000006
【図４】
2016523156.tif 000007
【図５】
2016523156.tif 000008
【国際調査報告】
2016523156.tif 000009
2016523156.tif 000010
2016523156.tif 000011